(57)【要約】【課題】  大量の被管理者が発した大量の音声が蓄積されている場合、蓄積された音声を単独の管理者がすべて聞き取るためには、多大な時間を要し限界があった。【解決手段】  音声データ管理装置は、受信した音声データと該音声データの音声を発した被管理者の被管理者識別情報とを対応づけて記憶手段に蓄積する（Ｓ１１１〜Ｓ１１４）。記憶手段に音声データが蓄積されている状態を示す音声蓄積情報の取得を要求する閲覧要求情報を受け付ける（Ｓ２０１）。閲覧要求情報を送信した管理者を特定する管理者識別情報と特定の関連をもつ被管理者識別情報を被管理者情報登録手段から抽出し、該抽出した被管理者識別情報と対応する音声データについての音声蓄積情報を送信する（Ｓ２０２〜Ｓ２０３）。音声データの提供を要求する音声情報要求信号を受信したことに基づいて音声データを出力する（Ｓ３０３）。【選択図】  図３
2005115921.tif 000002
【特許請求の範囲】
【請求項１】
被管理者を特定する被管理者識別情報に対応付けて管理者を特定する管理者識別情報を特定の関連をもたせて登録した被管理者情報登録手段を備えた音声データ管理装置と、前記管理者が操作する管理者情報端末とで、前記被管理者の発した音声を管理する音声情報管理方法であって、
前記音声データ管理装置が、
前記被管理者が発した音声の音声データを当該被管理者の操作する音声情報発生装置から受信する音声情報収集手順と、
該音声情報収集手順で受信した前記音声データと該音声データの音声を発した被管理者を示す被管理者識別情報とを対応づけて記憶手段に蓄積する音声情報蓄積手順と、
前記記憶手段に前記音声データが蓄積されている状態を示す音声蓄積情報の取得を要求する閲覧要求情報を前記管理者情報端末から受け付ける閲覧要求受信手順と、
前記閲覧要求情報を送信した管理者を特定する管理者識別情報と前記特定の関連をもつ被管理者識別情報を前記被管理者情報登録手段から抽出し、該抽出した被管理者識別情報と対応する音声データを前記記憶手段において検索し、前記音声データに関する音声蓄積情報を前記管理者情報端末へ送信する通知手順と、
前記管理者情報端末から前記音声データの提供を要求する音声情報要求信号を受信したことに基づいて該管理者情報端末に対して前記音声データを提供する音声情報提供手順と、を行うことを特徴とする音声情報管理方法。
【請求項２】
前記管理者情報端末が、
前記音声データ管理装置から前記音声蓄積情報を受信する記録通知受信手順と、
該記録通知受信手順で受信した前記音声蓄積情報にに基づいて前記管理者情報端末の表示装置に音声データの蓄積状態を示すアイコンを表示する報知手順を行うことを特徴とする請求項１に記載の音声情報管理方法。
【請求項３】
前記音声情報提供手順を、前記アイコンが前記管理者情報端末表示装置の画面で選択操作されることに基づいて行うことを特徴とする請求項２に記載の音声情報管理方法。
【請求項４】
前記被管理者情報登録手段での特定の関連とは、前記被管理者識別情報と、当該被管理者識別情報で特定される被管理者の情報を閲覧することが許される管理者を特定する管理者識別情報との関連であることを特徴とする請求項１乃至請求項３のうちいずれか１つに記載の音声情報管理方法。
【請求項５】
音声データ管理装置で被管理者の発した音声を管理する音声情報管理方法であって、
前記音声データ管理装置が、
前記被管理者が発した音声の音声データを当該被管理者の操作する音声情報発生装置から受信する音声情報収集手順と、
該音声情報収集手順で受信した前記音声データと該音声データの音声を発した被管理者を示す被管理者識別情報とを対応づけて記憶手段に蓄積する音声情報蓄積手順と、
前記記憶手段に前記音声データが蓄積されている状態を示す音声蓄積情報とともに前記音声データの音声を聞くための電話番号の情報を管理者の利用する管理者情報端末に対して送信する通知手順と、を行うことを特徴とする音声情報管理方法。
【請求項６】
前記音声データ管理装置は、前記被管理者を特定する被管理者識別情報に対応付けて管理者を特定する管理者識別情報を特定の関連をもたせて登録した被管理者情報登録手段を備え、
前記通知手順を、
蓄積された音声データの音声を発した被管理者を示す被管理者情報及び当該音声データの音声データ識別番号を前記記憶手段から抽出し、
当該抽出した被管理者情報に対して前記特定の関連がある管理者識別情報を抽出し、
当該抽出した管理者識別情報で特定される管理者の利用する管理者情報端末に対して前記音声蓄積情報とともに前記電話番号の情報を送信することで行うことを特徴とする請求項５に記載の音声情報管理方法。
【請求項７】
前記音声データ管理装置は、
前記被管理者の声紋を特徴づける声紋情報と、当該被管理者を特定する被管理者識別情報とを対応づけて予め登録しておく声紋登録手段を備え、
前記音声データ管理装置が、
被管理者の発する音声情報、該被管理者を特定する被管理者識別情報、及び該被管理者の発する音声キー情報を前記音声情報発生装置から受信する音声情報受信手順と、
前記音声情報発生装置から受信した音声キー情報から当該音声キー情報を発した被管理者の声紋を特徴づける受信声紋情報を生成する受信声紋発生手順と、
前記音声情報受信手順で受信した被管理者識別情報に対応づけて前記声紋登録手段に登録されている声紋情報と、前記声紋発生手順で生成した前記受信声紋情報とを比較する声紋判定手順と、を前記音声情報蓄積手順の前に行い、
前記声紋判定手順の結果を反映させて、前記音声情報蓄積手順を行うことを特徴とする請求項１乃至請求項６のうちいずれか１つに記載の音声情報管理方法。
【請求項８】
前記音声情報収集手順を、予め登録された時期に前記音声情報発生装置に対して被管理者の音声による回答を求めることに基づいて行うことを特長とする請求項１乃至請求項７のうちいずれか１つに記載の音声情報管理方法。
【請求項９】
音声データを管理する音声データ管理装置と、複数の管理者の操作する複数の管理者情報端末と、被管理者が前記音声データ管理装置に対して音声データを送信する音声情報発生装置と、を備え、前記音声データ管理装置と前記複数の管理者情報端末との間で情報の送受信を行う音声情報管理システムであって、
前記音声データ管理装置は、
前記被管理者を特定する被管理者識別情報に対応付けて管理者を特定する管理者識別情報を特定の関連をもたせて登録した被管理者情報登録手段と、
前記被管理者が発した音声の音声データを当該被管理者の操作する音声情報発生装置から受信する音声情報収集手段と、
該音声情報収集手段で受信した前記音声データと該音声データの音声を発した被管理者を示す被管理者識別情報とを対応づけて記憶手段に蓄積する音声情報蓄積手段と、
前記記憶手段に前記音声データが蓄積されている状態を示す音声蓄積情報の取得を要求する閲覧要求情報を前記管理者情報端末から受け付ける閲覧要求受信手段と、
該閲覧要求情報を送信した管理者を特定する管理者識別情報と前記特定の関連をもつ被管理者識別情報を前記被管理者情報登録手段から抽出し、該抽出した被管理者識別情報と対応する音声データを前記記憶手段において検索し、前記音声データに関する音声蓄積情報を前記管理者情報端末へ送信する通知手段と、
前記管理者情報端末から前記音声データの提供を要求する音声情報要求信号を受信したことに基づいて該管理者情報端末に対して前記音声データを提供する音声情報提供手段と、を備えたことを特徴とする音声情報管理システム。
【請求項１０】
前記管理者情報端末は、画像を表示する管理者情報端末表示装置と、
前記音声データ管理装置から前記音声蓄積情報を受信する記録通知受信手段と、を備え、
該記録通知受信手段で受信した前記音声蓄積情報に基づいて前記管理者情報端末表示装置に音声データの蓄積状態を示すアイコンを表示させることを特徴とする請求項９に記載の音声情報管理システム。
【請求項１１】
前記音声情報提供手段は、前記アイコンが前記管理者情報端末表示装置の画面で選択操作されることに基づいて前記音声情報要求信号を送信することを特徴とする請求項１０に記載の音声情報管理システム。
【請求項１２】
前記被管理者情報登録手段での特定の関連とは、前記被管理者識別情報と、当該被管理者識別情報で特定される被管理者の情報を閲覧することが許される管理者を特定する管理者識別情報との関連であることを特徴とする請求項９乃至請求項１１のうちいずれか１つに記載の音声情報管理システム。
【請求項１３】
音声データ管理装置で被管理者の発した音声を管理する音声情報管理システムであって、
前記音声データ管理装置は、
前記被管理者が発した音声の音声データを当該被管理者の操作する音声情報発生装置から受信する音声情報収集手段と、
該音声情報収集手段で受信した前記音声データと該音声データの音声を発した被管理者を示す被管理者識別情報とを対応づけて記憶手段に蓄積する音声情報蓄積手段と、
前記記憶手段に前記音声データが蓄積されている状態を示す音声蓄積情報とともに前記音声データの音声を聞くための電話番号の情報を管理者の利用する管理者情報端末に対して送信する通知手段と、を備えたことを特徴とする音声情報管理システム。
【請求項１４】
前記音声データ管理装置は、前記被管理者を特定する被管理者識別情報に対応付けて管理者を特定する管理者識別情報を特定の関連をもたせて登録した被管理者情報登録手段を備え、
前記通知手段は、
蓄積された音声データの音声を発した被管理者を示す被管理者情報及び当該音声データの音声データ識別番号を前記記憶手段から抽出し、
当該抽出した被管理者情報に対して前記特定の関連がある管理者識別情報を抽出し、
当該抽出した管理者識別情報で特定される管理者の利用する管理者情報端末に対して前記音声蓄積情報とともに前記電話番号の情報を送信する手段であることを特徴とする請求項１３に記載の音声情報管理システム。
【請求項１５】
前記音声データ管理装置は、
被管理者の発する音声情報、該被管理者を特定する被管理者識別情報、及び該被管理者の発する音声キー情報を前記音声情報発生装置から受信する音声情報受信手段と、
前記被管理者の声紋を特徴づける声紋情報と、当該被管理者を特定する被管理者識別情報とを対応づけて予め登録しておく声紋登録手段と、
前記音声情報発生装置から受信した音声キー情報から当該音声キー情報を発した被管理者の声紋を特徴づける受信声紋情報を生成する受信声紋発生手段と、
前記音声情報受信手段で受信した被管理者識別情報に対応づけて前記声紋登録手段に登録されている声紋情報と、前記声紋発生手段で生成した前記受信声紋情報とを比較する声紋判定手段と、を備え、
前記音声情報蓄積手段は、前記声紋判定手段の比較結果を反映させて前記音声データと前記被管理者識別情報とを対応づけて記憶手段に蓄積することを特徴とする請求項９乃至請求項１４のうちいずれか１つに記載の音声情報管理システム。
【請求項１６】
前記音声データ管理装置は、予め登録された時期に前記音声情報発生装置に対して被管理者の音声による回答を求める質問手段を備えることを特長とする請求項９乃至請求項１５のうちいずれか１つに記載の音声情報管理システム。
【請求項１７】
被管理者を特定する被管理者識別情報に対応付けて管理者を特定する管理者識別情報を特定の関連をもたせて登録した被管理者情報登録手段を備えた音声データ管理装置に、前記被管理者の発した音声を管理させる音声情報管理プログラムであって、
前記音声データ管理装置に、
前記被管理者が発した音声の音声データを受信する音声情報収集手順と、
該音声情報収集手順で受信した前記音声データと該音声データの音声を発した被管理者を示す被管理者識別情報とを対応づけて記憶手段に蓄積する音声情報蓄積手順と、
前記記憶手段に前記音声データが蓄積されている状態を示す音声蓄積情報の取得を要求する閲覧要求情報を受け付ける閲覧要求受信手順と、
前記閲覧要求情報を送信した管理者を特定する管理者識別情報と前記特定の関連をもつ被管理者識別情報を前記被管理者情報登録手段から抽出し、該抽出した被管理者識別情報と対応する音声データを前記記憶手段において検索し、前記音声データに関する音声蓄積情報を送信する通知手順と、
前記音声データの提供を要求する音声情報要求信号を受信したことに基づいて前記音声データを出力する音声情報提供手順と、を実行させることを特徴とする音声情報管理プログラム。
【請求項１８】
前記被管理者情報登録手段での特定の関連とは、前記被管理者識別情報と、当該被管理者識別情報で特定される被管理者の情報を閲覧することが許される管理者を特定する管理者識別情報との関連であることを特徴とする請求項１７に記載の音声情報管理プログラム。
【請求項１９】
音声データ管理装置に、被管理者の発した音声を管理させる音声情報管理プログラムであって、
前記音声データ管理装置に、
前記被管理者が発した音声の音声データを受信する音声情報収集手順と、
該音声情報収集手順で受信した前記音声データと該音声データの音声を発した被管理者を示す被管理者識別情報とを対応づけて記憶手段に蓄積する音声情報蓄積手順と、
前記記憶手段に前記音声データが蓄積されている状態を示す音声蓄積情報とともに前記音声データの音声を聞くための電話番号の情報を送信する通知手順と、を実行させることを特徴とする音声情報管理プログラム。
【請求項２０】
前記音声データ管理装置は、前記被管理者を特定する被管理者識別情報に対応付けて管理者を特定する管理者識別情報を特定の関連をもたせて登録した被管理者情報登録手段を備え、
前記通知手順を、
蓄積された音声データの音声を発した被管理者を示す被管理者情報及び当該音声データの音声データ識別番号を前記記憶手段から抽出させ、
当該抽出した被管理者情報に対して前記特定の関連がある管理者識別情報を抽出させ、
当該抽出した管理者識別情報で特定される管理者の利用する管理者情報端末に対して前記音声蓄積情報とともに前記電話番号の情報を送信させることで実行させることを特徴とする請求項１９に記載の音声情報管理プログラム。
【請求項２１】
前記音声データ管理装置は、前記被管理者の声紋を特徴づける声紋情報と、当該被管理者を特定する被管理者識別情報とを対応づけて予め登録しておく声紋登録手段を備え、
被管理者の発する音声情報、該被管理者を特定する被管理者識別情報、及び該被管理者の発する音声キー情報を受信する音声情報受信手順と、
受信した音声キー情報から当該音声キー情報を発した被管理者の声紋を特徴づける受信声紋情報を生成する受信声紋発生手順と、
前記音声情報受信手順で受信した被管理者識別情報に対応づけて前記声紋登録手段に登録されている声紋情報と、前記声紋発生手順で生成した前記受信声紋情報とを比較する声紋判定手順と、を前記音声情報蓄積手順の前に実行させ、
前記声紋判定手順の結果を反映させて、前記音声情報蓄積手順を実行させることを特徴とする請求項１７乃至請求項２０のうちいずれか１つに記載の音声情報管理プログラム。
【請求項２２】
被管理者の発した音声を管理する音声データ管理装置であって、
前記被管理者を特定する被管理者識別情報に対応付けて管理者を特定する管理者識別情報を特定の関連をもたせて登録した被管理者情報登録手段と、
前記被管理者が発した音声の音声データを受信する音声情報収集手段と、
該音声情報収集手段で受信した前記音声データと該音声データの音声を発した被管理者を示す被管理者識別情報とを対応づけて記憶手段に蓄積する音声情報蓄積手段と、
前記記憶手段に前記音声データが蓄積されている状態を示す音声蓄積情報の取得を要求する閲覧要求情報を受け付ける閲覧要求受信手段と、
該閲覧要求情報を送信した管理者を特定する管理者識別情報と前記特定の関連をもつ被管理者識別情報を前記被管理者情報登録手段から抽出し、該抽出した被管理者識別情報と対応する音声データを前記記憶手段において検索し、前記音声データに関する音声蓄積情報を送信する通知手段と、
前記音声データの提供を要求する音声情報要求信号を受信したことに基づいて前記音声データを出力する音声情報提供手段と、を備えたことを特徴とする音声データ管理装置。
【請求項２３】
前記被管理者情報登録手段での特定の関連とは、前記被管理者識別情報と、当該被管理者識別情報で特定される被管理者の情報を閲覧することが許される管理者を特定する管理者識別情報との関連であることを特徴とする請求項２２に記載の音声データ管理装置。
【請求項２４】
被管理者の発した音声を管理する音声データ管理装置であって、
前記被管理者が発した音声の音声データを受信する音声情報収集手段と、
該音声情報収集手段で受信した前記音声データと該音声データの音声を発した被管理者を示す被管理者識別情報とを対応づけて記憶手段に蓄積する音声情報蓄積手段と、
前記記憶手段に前記音声データが蓄積されている状態を示す音声蓄積情報とともに前記音声データの音声を聞くための電話番号の情報を送信する通知手段と、を備えたことを特徴とする音声データ管理装置。
【請求項２５】
前記被管理者を特定する被管理者識別情報に対応付けて管理者を特定する管理者識別情報を特定の関連をもたせて登録した被管理者情報登録手段を備え、
前記通知手段は、
蓄積された音声データの音声を発した被管理者を示す被管理者情報及び当該音声データの音声データ識別番号を前記記憶手段から抽出し、
当該抽出した被管理者情報に対して前記特定の関連がある管理者識別情報を抽出し、
当該抽出した管理者識別情報で特定される管理者の利用する管理者情報端末に対して前記音声蓄積情報とともに前記電話番号の情報を送信する手段であることを特徴とする請求項２４に記載の音声データ管理装置。
【請求項２６】
被管理者の発する音声情報、該被管理者を特定する被管理者識別情報、及び該被管理者の発する音声キー情報を受信する音声情報受信手段と、
前記被管理者の声紋を特徴づける声紋情報と、当該被管理者を特定する被管理者識別情報とを対応づけて予め登録しておく声紋登録手段と、
受信した前記音声キー情報から当該音声キー情報を発した被管理者の声紋を特徴づける受信声紋情報を生成する受信声紋発生手段と、
前記音声情報受信手段で受信した被管理者識別情報に対応づけて前記声紋登録手段に登録されている声紋情報と、前記声紋発生手段で生成した前記受信声紋情報とを比較する声紋判定手段と、を備え、
前記音声情報蓄積手段は、前記声紋判定手段の比較結果を反映させて前記音声データと前記被管理者識別情報とを対応づけて記憶手段に蓄積することを特徴とする請求項２２乃至請求項２５のうちいずれか１つに記載の音声データ管理装置。
【発明の詳細な説明】
【技術分野】
【０００１】
本発明は音声情報管理方法，音声情報管理システム，音声情報管理プログラム及び音声データ管理装置に係り、特に通常の商業形態において、顧客を管理する必要のある業態、多くの人間から情報を収集することを目的とするアンケート等調査業務の分野、または臨床試験のように人に由来する情報を人から収集することが求められる業態で、ＩＰ接続電話、携帯電話を含む電話を媒介して音声情報を収集しようとする産業分野で用いられる音声情報管理方法，音声情報管理システム，音声情報管理プログラム及び音声データ管理装置に関する。
【背景技術】
【０００２】
従来、アンケート調査の対象者、観察が必要な管理対象者、臨床試験等において医薬品等を服用している被験者、臨床試験等に参加している医師等の被管理者から電子的に情報を収集しようとする場合、管理者側から被管理者に電話をかけ、逐次情報を収集する方法がある。
【０００３】
このような方法において、被管理者が発した音声を、コンピュータシステムに保存しておいて、後に管理者がその音声を聞くようにする技術があった（例えば特許文献１）。
【０００４】
【特許文献１】特開２００２−１７５４０１号公報（第５−６頁、図１−８）
【発明の開示】
【発明が解決しようとする課題】
【０００５】
従来の方法では、例えばコンピュータが備える留守番電話機能を使って被管理者が発した音声をコンピュータシステムの記憶装置内に蓄積すると、被管理者が大量に存在するような場合には、蓄積した音声を単独の管理者が順番に聞く必要があった。この方法によると、大量の被管理者が発した大量の音声が蓄積されている場合、蓄積された音声を単独の管理者がすべて聞き取るためには、多大な時間を要し限界があった。
【０００６】
また、上記のような課題を克服することができない場合、音声をそのまま蓄積する方法を避けて、被管理者からの情報を複数項目の質問に答えさせる方法が採られることもあった。しかし、この方法では、被管理者が有するあいまいな情報を、複数項目の質問で無理に分類せざるを得ないので、あいまいな情報の中に埋もれている重要な情報を脱落させてしまうという課題があった。
【０００７】
また、複数の管理者がそれぞれ異なる被管理者を担当して管理する場合には、担当以外の被管理者の情報は不要であるため、また被管理者のプライバシーを保護するために、管理者が担当以外の被管理者の音声にのみ簡便にアクセスできる仕組が求められていた。
【課題を解決するための手段】
【０００８】
上記課題を解決するために、請求項１に記載の音声情報管理方法は、被管理者を特定する被管理者識別情報（被管理者ＩＤ）に対応付けて管理者を特定する管理者識別情報（管理者ＩＤ）を特定の関連をもたせて登録した被管理者情報登録手段を備えた音声データ管理装置と、前記管理者が操作する管理者情報端末とで、前記被管理者の発した音声を管理する音声情報管理方法であって、前記音声データ管理装置が、前記被管理者が発した音声の音声データを当該被管理者の操作する音声情報発生装置から受信する音声情報収集手順（Ｓ１１０）と、該音声情報収集手順で受信した前記音声データと該音声データの音声を発した被管理者を示す被管理者識別情報とを対応づけて記憶手段に蓄積する音声情報蓄積手順（Ｓ１１１〜Ｓ１１４）と、前記記憶手段に前記音声データが蓄積されている状態を示す音声蓄積情報の取得を要求する閲覧要求情報を前記管理者情報端末から受け付ける閲覧要求受信手順（Ｓ２０１）と、前記閲覧要求情報を送信した管理者を特定する管理者識別情報と前記特定の関連をもつ被管理者識別情報を前記被管理者情報登録手段から抽出し、該抽出した被管理者識別情報と対応する音声データを前記記憶手段において検索し、前記音声データに関する音声蓄積情報を前記管理者情報端末へ送信する通知手順（Ｓ２０２〜Ｓ２０３）と、前記管理者情報端末から前記音声データの提供を要求する音声情報要求信号を受信したことに基づいて該管理者情報端末に対して前記音声データを提供する音声情報提供手順（Ｓ３０３）と、を行うことを特徴とする。
また、請求項９に記載の音声情報管理システムは、音声データを管理する音声データ管理装置（サーバコンピュータ１１）と、複数の管理者の操作する複数の管理者情報端末（端末コンピュータ３１，端末コンピュータ４１，端末コンピュータ５１）と、被管理者が前記音声データ管理装置に対して音声データを送信する音声情報発生装置（端末コンピュータ２１）と、を備え、前記音声データ管理装置と前記複数の管理者情報端末との間で情報の送受信を行う音声情報管理システムであって、前記音声データ管理装置は、前記被管理者を特定する被管理者識別情報（被管理者ＩＤ）に対応付けて管理者を特定する管理者識別情報（管理者ＩＤ）を特定の関連をもたせて登録した被管理者情報登録手段（登録情報データベースＤＢ０）と、前記被管理者が発した音声の音声データを当該被管理者の操作する音声情報発生装置から受信する音声情報収集手段（Ｓ１１０）と、該音声情報収集手段で受信した前記音声データと該音声データの音声を発した被管理者を示す被管理者識別情報とを対応づけて記憶手段に蓄積する音声情報蓄積手段（Ｓ１１１〜Ｓ１１４）と、前記記憶手段に前記音声データが蓄積されている状態を示す音声蓄積情報の取得を要求する閲覧要求情報を前記管理者情報端末から受け付ける閲覧要求受信手段（Ｓ２０１）と、該閲覧要求情報を送信した管理者を特定する管理者識別情報と前記特定の関連をもつ被管理者識別情報を前記被管理者情報登録手段から抽出し、該抽出した被管理者識別情報と対応する音声データを前記記憶手段において検索し、前記音声データに関する音声蓄積情報を前記管理者情報端末へ送信する通知手段（Ｓ２０２〜Ｓ２０３）と、前記管理者情報端末から前記音声データの提供を要求する音声情報要求信号を受信したことに基づいて該管理者情報端末に対して前記音声データを提供する音声情報提供手段（Ｓ３０３）と、を備えたことを特徴とする。
また、請求項１７に記載の音声情報管理プログラムは、被管理者を特定する被管理者識別情報（被管理者ＩＤ）に対応付けて管理者を特定する管理者識別情報（管理者ＩＤ）を特定の関連をもたせて登録した被管理者情報登録手段を備えた音声データ管理装置に、前記被管理者の発した音声を管理させる音声情報管理プログラムであって、前記音声データ管理装置に、前記被管理者が発した音声の音声データを受信する音声情報収集手順（Ｓ１１０）と、該音声情報収集手順で受信した前記音声データと該音声データの音声を発した被管理者を示す被管理者識別情報とを対応づけて記憶手段に蓄積する音声情報蓄積手順（Ｓ１１１〜Ｓ１１４）と、前記記憶手段に前記音声データが蓄積されている状態を示す音声蓄積情報の取得を要求する閲覧要求情報を受け付ける閲覧要求受信手順（Ｓ２０１）と、前記閲覧要求情報を送信した管理者を特定する管理者識別情報と前記特定の関連をもつ被管理者識別情報を前記被管理者情報登録手段から抽出し、該抽出した被管理者識別情報と対応する音声データを前記記憶手段において検索し、前記音声データに関する音声蓄積情報を送信する通知手順（Ｓ２０２〜Ｓ２０３）と、前記音声データの提供を要求する音声情報要求信号を受信したことに基づいて前記音声データを出力する音声情報提供手順（Ｓ３０３）と、を実行させることを特徴とする。
また、請求項２２に記載の音声データ管理装置は、被管理者の発した音声を管理する音声データ管理装置であって、前記被管理者を特定する被管理者識別情報（被管理者ＩＤ）に対応付けて管理者を特定する管理者識別情報（管理者ＩＤ）を特定の関連をもたせて登録した被管理者情報登録手段（登録情報データベースＤＢ０）と、前記被管理者が発した音声の音声データを受信する音声情報収集手段（Ｓ１１０）と、該音声情報収集手段で受信した前記音声データと該音声データの音声を発した被管理者を示す被管理者識別情報とを対応づけて記憶手段に蓄積する音声情報蓄積手段（Ｓ１１１〜Ｓ１１４）と、前記記憶手段に前記音声データが蓄積されている状態を示す音声蓄積情報の取得を要求する閲覧要求情報を受け付ける閲覧要求受信手段（Ｓ２０１）と、該閲覧要求情報を送信した管理者を特定する管理者識別情報と前記特定の関連をもつ被管理者識別情報を前記被管理者情報登録手段から抽出し、該抽出した被管理者識別情報と対応する音声データを前記記憶手段において検索し、前記音声データに関する音声蓄積情報を送信する通知手段（Ｓ２０２〜Ｓ２０３）と、前記音声データの提供を要求する音声情報要求信号を受信したことに基づいて前記音声データを出力する音声情報提供手段（Ｓ３０３）と、を備えたことを特徴とする。
【０００９】
このような構成を備えることで、被管理者に対して特定の関連をもつ管理者にのみ音声蓄積情報を送信することが可能となるため、管理者は自己と特定の関連をもつ被管理者の情報にのみ容易にアクセスすることが可能となる。
【００１０】
請求項２に記載の音声情報管理方法は、請求項１に記載の音声情報管理方法において、前記管理者情報端末が、前記音声データ管理装置から前記音声蓄積情報を受信する記録通知受信手順と、該記録通知受信手順で受信した前記音声蓄積情報にに基づいて前記管理者情報端末の表示装置に音声データの蓄積状態を示すアイコンを表示する報知手順を行うことを特徴とする。
請求項１０に記載の音声情報管理システムは、請求項９に記載の音声情報管理システムにおいて、前記管理者情報端末は、画像を表示する管理者情報端末表示装置と、前記音声データ管理装置から前記音声蓄積情報を受信する記録通知受信手段と、を備え、該記録通知受信手段で受信した前記音声蓄積情報に基づいて前記管理者情報端末表示装置に音声データの蓄積状態を示すアイコンを表示させることを特徴とする。
【００１１】
このような構成を備えることで、管理者は音声蓄積情報を管理者情報端末表示装置の表示で容易に確認することが可能となる。
【００１２】
請求項３に記載の音声情報管理方法は、請求項２に記載の音声情報管理方法において、前記音声情報提供手順を、前記アイコンが前記管理者情報端末表示装置の画面で選択操作されることに基づいて行うことを特徴とする。
請求項１１に記載の音声情報管理システムは、請求項１０に記載の音声情報管理システムにおいて、前記音声情報提供手段は、前記アイコンが前記管理者情報端末表示装置の画面で選択操作されることに基づいて前記音声情報要求信号を送信することを特徴とする。
【００１３】
このような構成を備えることで、管理者は音声データ管理装に対して、音声データの提供を簡便に要求することが可能となる。
【００１４】
請求項４に記載の音声情報管理方法は、請求項１乃至請求項３のうちいずれか１つに記載の音声情報管理方法において、前記被管理者情報登録手段での特定の関連とは、前記被管理者識別情報と、当該被管理者識別情報で特定される被管理者の情報を閲覧することが許される管理者を特定する管理者識別情報との関連であることを特徴とする。
請求項１２に記載の音声情報管理システムは、請求項９乃至請求項１１のうちいずれか１つに記載の音声情報管理システムにおいて、前記被管理者情報登録手段での特定の関連とは、前記被管理者識別情報と、当該被管理者識別情報で特定される被管理者の情報を閲覧することが許される管理者を特定する管理者識別情報との関連であることを特徴とする。
請求項１８に記載の音声情報管理プログラムは、請求項１７に記載の音声情報管理プログラムにおいて、前記被管理者情報登録手段での特定の関連とは、前記被管理者識別情報と、当該被管理者識別情報で特定される被管理者の情報を閲覧することが許される管理者を特定する管理者識別情報との関連であることを特徴とする。
請求項２３に記載の音声データ管理装置は、請求項２２に記載の音声データ管理装置において、前記被管理者情報登録手段での特定の関連とは、前記被管理者識別情報と、当該被管理者識別情報で特定される被管理者の情報を閲覧することが許される管理者を特定する管理者識別情報との関連であることを特徴とする。
【００１５】
このような構成を備えることで、被管理者の情報を閲覧することが許される管理者にのみ音声蓄積情報を送信することが可能となるため、被管理者のプライバシーを保護することが可能となる。
【００１６】
上記課題を解決するために、請求項５に記載の音声情報管理方法は、音声データ管理装置で被管理者の発した音声を管理する音声情報管理方法であって、前記音声データ管理装置が、前記被管理者が発した音声の音声データを当該被管理者の操作する音声情報発生装置から受信する音声情報収集手順（Ｓ１１０）と、該音声情報収集手順で受信した前記音声データと該音声データの音声を発した被管理者を示す被管理者識別情報とを対応づけて記憶手段に蓄積する音声情報蓄積手順（Ｓ１１１〜Ｓ１１４）と、前記記憶手段に前記音声データが蓄積されている状態を示す音声蓄積情報とともに前記音声データの音声を聞くための電話番号の情報を管理者の利用する管理者情報端末に対して送信する通知手順と、を行うことを特徴とする。
請求項１３に記載の音声情報管理システムは、音声データ管理装置で被管理者の発した音声を管理する音声情報管理システムであって、前記音声データ管理装置は、前記被管理者が発した音声の音声データを当該被管理者の操作する音声情報発生装置から受信する音声情報収集手段（Ｓ１１０）と、該音声情報収集手段で受信した前記音声データと該音声データの音声を発した被管理者を示す被管理者識別情報とを対応づけて記憶手段に蓄積する音声情報蓄積手段（Ｓ１１１〜Ｓ１１４）と、前記記憶手段に前記音声データが蓄積されている状態を示す音声蓄積情報とともに前記音声データの音声を聞くための電話番号の情報を管理者の利用する管理者情報端末に対して送信する通知手段と、を備えたことを特徴とする。
請求項１９に記載の音声情報管理プログラムは、音声データ管理装置に、被管理者の発した音声を管理させる音声情報管理プログラムであって、前記音声データ管理装置に、前記被管理者が発した音声の音声データを受信する音声情報収集手順（Ｓ１１０）と、該音声情報収集手順で受信した前記音声データと該音声データの音声を発した被管理者を示す被管理者識別情報とを対応づけて記憶手段に蓄積する音声情報蓄積手順（Ｓ１１１〜Ｓ１１４）と、前記記憶手段に前記音声データが蓄積されている状態を示す音声蓄積情報とともに前記音声データの音声を聞くための電話番号の情報を送信する通知手順と、を実行させることを特徴とする。
請求項２４に記載の音声データ管理装置は、被管理者の発した音声を管理する音声データ管理装置であって、前記被管理者が発した音声の音声データを受信する音声情報収集手段（Ｓ１１０）と、該音声情報収集手段で受信した前記音声データと該音声データの音声を発した被管理者を示す被管理者識別情報とを対応づけて記憶手段に蓄積する音声情報蓄積手段（Ｓ１１１〜Ｓ１１４）と、前記記憶手段に前記音声データが蓄積されている状態を示す音声蓄積情報とともに前記音声データの音声を聞くための電話番号の情報を送信する通知手段と、を備えたことを特徴とする。
【００１７】
このような構成を備えることで、音声蓄積情報とともに送信される電話番号に電話をかけることによって、管理者は音声データの音声を容易に聞くことが可能となる。
【００１８】
請求項６に記載の音声情報管理方法は、請求項５に記載の音声情報管理方法において、前記音声データ管理装置は、前記被管理者を特定する被管理者識別情報（被管理者ＩＤ）に対応付けて管理者を特定する管理者識別情報（管理者ＩＤ）を特定の関連をもたせて登録した被管理者情報登録手段を備え、前記通知手順を、蓄積された音声データの音声を発した被管理者を示す被管理者情報及び当該音声データの音声データ識別番号を前記記憶手段から抽出し、当該抽出した被管理者情報に対して前記特定の関連がある管理者識別情報を抽出し、当該抽出した管理者識別情報で特定される管理者の利用する管理者情報端末に対して前記音声蓄積情報とともに前記電話番号の情報を送信することで行うことを特徴とする。
請求項１４に記載の音声情報管理システムは、請求項１３に記載の音声情報管理システムにおいて、前記音声データ管理装置は、前記被管理者を特定する被管理者識別情報（被管理者ＩＤ）に対応付けて管理者を特定する管理者識別情報（管理者ＩＤ）を特定の関連をもたせて登録した被管理者情報登録手段を備え、前記通知手段は、蓄積された音声データの音声を発した被管理者を示す被管理者情報及び当該音声データの音声データ識別番号を前記記憶手段から抽出し、当該抽出した被管理者情報に対して前記特定の関連がある管理者識別情報を抽出し、当該抽出した管理者識別情報で特定される管理者の利用する管理者情報端末に対して前記音声蓄積情報とともに前記電話番号の情報を送信する手段であることを特徴とする。
請求項２０に記載の音声情報管理プログラムは、請求項１９に記載の音声情報管理プログラムにおいて、前記音声データ管理装置は、前記被管理者を特定する被管理者識別情報（被管理者ＩＤ）に対応付けて管理者を特定する管理者識別情報（管理者ＩＤ）を特定の関連をもたせて登録した被管理者情報登録手段を備え、前記通知手順を、蓄積された音声データの音声を発した被管理者を示す被管理者情報及び当該音声データの音声データ識別番号を前記記憶手段から抽出させ、当該抽出した被管理者情報に対して前記特定の関連がある管理者識別情報を抽出させ、当該抽出した管理者識別情報で特定される管理者の利用する管理者情報端末に対して前記音声蓄積情報とともに前記電話番号の情報を送信させることで実行させることを特徴とする。
請求項２５に記載の音声データ管理装置は、請求項２４に記載の音声データ管理装置において、前記被管理者を特定する被管理者識別情報（被管理者ＩＤ）に対応付けて管理者を特定する管理者識別情報（管理者ＩＤ）を特定の関連をもたせて登録した被管理者情報登録手段を備え、前記通知手段は、蓄積された音声データの音声を発した被管理者を示す被管理者情報及び当該音声データの音声データ識別番号を前記記憶手段から抽出し、当該抽出した被管理者情報に対して前記特定の関連がある管理者識別情報を抽出し、当該抽出した管理者識別情報で特定される管理者の利用する管理者情報端末に対して前記音声蓄積情報とともに前記電話番号の情報を送信する手段であることを特徴とする。
【００１９】
このような構成を備えることで、被管理者に対して特定の関連をもつ管理者にのみ電話番号の情報を送信することが可能となるため、管理者は自己と特定の関連をもつ被管理者の音声データのみに容易にアクセスすることが可能となる。
【００２０】
請求項７に記載の音声情報管理方法は、請求項１乃至請求項６のうちいずれか１つに記載の音声情報管理方法において、前記音声データ管理装置は、前記被管理者の声紋を特徴づける声紋情報と、当該被管理者を特定する被管理者識別情報とを対応づけて予め登録しておく声紋登録手段（情報データベースＤＢ０）を備え、前記音声データ管理装置が、被管理者の発する音声情報、該被管理者を特定する被管理者識別情報、及び該被管理者の発する音声キー情報を前記音声情報発生装置から受信する音声情報受信手順（Ｓ１０２）と、前記音声情報発生装置から受信した音声キー情報から当該音声キー情報を発した被管理者の声紋を特徴づける受信声紋情報を生成する受信声紋発生手順（Ｓ１０３）と、前記音声情報受信手順で受信した被管理者識別情報に対応づけて前記声紋登録手段に登録されている声紋情報と、前記声紋発生手順で生成した前記受信声紋情報とを比較する声紋判定手順（Ｓ１０４〜Ｓ１０６）と、を前記音声情報蓄積手順の前に行い、前記声紋判定手順の結果を反映させて、前記音声情報蓄積手順を行うことを特徴とする。
請求項１５に記載の音声情報管理システムは、請求項９乃至請求項１４のうちいずれか１つに記載の音声情報管理システムにおいて、前記音声データ管理装置は、被管理者の発する音声情報、該被管理者を特定する被管理者識別情報、及び該被管理者の発する音声キー情報を前記音声情報発生装置から受信する音声情報受信手段（Ｓ１０２）と、前記被管理者の声紋を特徴づける声紋情報と、当該被管理者を特定する被管理者識別情報とを対応づけて予め登録しておく声紋登録手段（情報データベースＤＢ０）と、前記音声情報発生装置から受信した音声キー情報から当該音声キー情報を発した被管理者の声紋を特徴づける受信声紋情報を生成する受信声紋発生手段（Ｓ１０３）と、前記音声情報受信手段で受信した被管理者識別情報に対応づけて前記声紋登録手段に登録されている声紋情報と、前記声紋発生手段で生成した前記受信声紋情報とを比較する声紋判定手段（Ｓ１０４〜Ｓ１０６）と、を備え、前記音声情報蓄積手段は、前記声紋判定手段の比較結果を反映させて前記音声データと前記被管理者識別情報とを対応づけて記憶手段に蓄積することを特徴とする。
請求項２１に記載の音声情報管理プログラムは、請求項１７乃至請求項２０のうちいずれか１つに記載の音声情報管理プログラムにおいて、前記音声データ管理装置は、前記被管理者の声紋を特徴づける声紋情報と、当該被管理者を特定する被管理者識別情報とを対応づけて予め登録しておく声紋登録手段（情報データベースＤＢ０）を備え、被管理者の発する音声情報、該被管理者を特定する被管理者識別情報、及び該被管理者の発する音声キー情報を受信する音声情報受信手順（Ｓ１０２）と、受信した音声キー情報から当該音声キー情報を発した被管理者の声紋を特徴づける受信声紋情報を生成する受信声紋発生手順（Ｓ１０３）と、前記音声情報受信手順で受信した被管理者識別情報に対応づけて前記声紋登録手段に登録されている声紋情報と、前記声紋発生手順で生成した前記受信声紋情報とを比較する声紋判定手順（Ｓ１０４〜Ｓ１０６）と、を前記音声情報蓄積手順の前に実行させ、前記声紋判定手順の結果を反映させて、前記音声情報蓄積手順を実行させることを特徴とする。
請求項２６に記載の音声データ管理装置は、請求項２２乃至請求項２５２のうちいずれか１つに記載の音声データ管理装置において、被管理者の発する音声情報、該被管理者を特定する被管理者識別情報、及び該被管理者の発する音声キー情報を受信する音声情報受信手段（Ｓ１０２）と、前記被管理者の声紋を特徴づける声紋情報と、当該被管理者を特定する被管理者識別情報とを対応づけて予め登録しておく声紋登録手段（情報データベースＤＢ０）と、受信した前記音声キー情報から当該音声キー情報を発した被管理者の声紋を特徴づける受信声紋情報を生成する受信声紋発生手段（Ｓ１０３）と、前記音声情報受信手段で受信した被管理者識別情報に対応づけて前記声紋登録手段に登録されている声紋情報と、前記声紋発生手段で生成した前記受信声紋情報とを比較する声紋判定手段（Ｓ１０４〜Ｓ１０６）と、を備え、前記音声情報蓄積手段は、前記声紋判定手段の比較結果を反映させて前記音声データと前記被管理者識別情報とを対応づけて記憶手段に蓄積することを特徴とする。
【００２１】
このような構成を備えることで、登録された被管理者が発した音声の音声データか否かの判定の結果を反映させて音声データを記憶手段に蓄積することが可能となる。
【００２２】
請求項８に記載の音声情報管理方法は、請求項１乃至請求項７のうちいずれか１つに記載の音声情報管理方法において、前記音声情報収集手順を、予め登録された時期に前記音声情報発生装置に対して被管理者の音声による回答を求めることに基づいて行うことを特長とする。
請求項１６に記載の音声情報管理システムは、請求項９乃至請求項１５のうちいずれか１つに記載の音声情報管理システムにおいて、前記音声データ管理装置は、予め登録された時期に前記音声情報発生装置に対して被管理者の音声による回答を求める質問手段（Ｓ１０９）を備えることを特長とする。
【００２３】
このような構成を備えることで、定期的に被管理者から音声データを受信することが可能となる。
【発明の効果】
【００２４】
複数の管理者が同時に音声データ管理装置にアクセスして、音声データ管理装置に蓄積される被管理者の音声データを再生させることができるため、被管理者の音声データを大量に蓄積させても、複数の管理者で音声データの内容を同時期に確認でき、管理労力が削減できる。また、被管理者の肉声を音声データとして蓄積保持する方法で情報を収集できるので、被管理者に存在するあいまいな情報をそのまま管理者に伝えることが可能となり、これまでの方法では埋もれてしまうような情報を管理者側に伝達することができるようになる。
【発明を実施するための最良の形態】
【００２５】
以下、本発明の一実施形態を図面に基づいて説明する。なお、以下に説明する構成は本発明を限定するものでなく、本発明の趣旨の範囲内で種々改変することができるものである。
【００２６】
なお、本明細書中で「コンピュータ」とは、演算装置を備えた情報端末すべてを含む意味である。例えば、スーパーコンピュータ、汎用コンピュータ、オフィスコンピュータ、制御用コンピュータ、ワークステーション、パソコンのほか、携帯情報端末、演算装置を備えた携帯電話、ウェアラブルコンピュータ等をも含む。また、臨床試験とは、治験と同義に用いる。
【００２７】
本実施形態では、音声情報管理システムＳを、医薬品の服薬試験に適用している。はじめに、本実施形態の音声情報管理システムＳが、医薬品の服薬試験でどのように運用されるか、その概略を図１，図２，図３で説明する。本実施形態の音声情報管理システムＳは、概ね次のように運用されるものである。
図１は、音声情報管理システムＳの全体構成を示す。図２は、音声情報管理システムＳを、医薬品の服薬試験に適用した場合の運用例を説明する説明図である。図３は、端末コンピュータ３１，４１，５１の表示装置で表示される画面例を示す。
【００２８】
医薬品の服薬試験は、特定の医薬品を多数の被験者に服用等してもらい、一定期間その被験者の様子を観察する試験である。この服薬試験では、定期的に被験者が対象の医薬品を服用したか、また健康状態に変化がないかを調査する必要がある。また、ときには被験者の体調の急変があれば、服薬の中止等の措置をとることが必要になる。
【００２９】
被管理者２（被験者や医師等が含まれる）は、システム運営会社１のサーバコンピュータ１１と通信回線６を介して接続された端末コンピュータ２１を用いて、システム運営会社１と情報のやり取りを行う。例えば、システム運営会社側から「薬を飲みましたか？」等の質問を受ける（ステップＳ０１）。被管理者２は、端末コンピュータ２１の操作ボタンを操作して、この問いに回答する。例えば、対象となる医薬品を服用したなら「１」の操作ボタンを操作し、医薬品を服用していなければ「０」の操作ボタンを操作する等して回答する。このボタン操作による回答は、その操作の種別を表す端末操作情報として、端末コンピュータ２１からサーバコンピュータ１１に送信される（ステップＳ０２）。サーバコンピュータ１１は、端末操作情報に応じて、被験者が対象の医薬品を服用したか否かの情報（以下「服薬履歴情報」という）を、服薬履歴情報として、サーバコンピュータ１１の記憶装置内の服薬履歴データベースＤＢ１に蓄積する。なお、本実施携帯の服薬履歴情報は、被験者が対象の医薬品を服用したか否かの情報であるが、これに限定されるものではない。医薬品の服用量や、服用した時間等の情報であってもよい。
【００３０】
サーバコンピュータ１１は、さらに、「何かお変わりありませんか？特になければ、お切りください。」等の問いかけを、端末コンピュータ２１に対して送信する（ステップＳ０３）。被管理者２は、この問いに対して自らの肉声で回答する。例えば、「なんとなく・・・」，「・・・あのー・・・」，「少し気分が・・・」等と回答する。回答しない場合は、サーバコンピュータ１１と端末コンピュータ２１との接続を切る。
【００３１】
ステップＳ０４で被管理者２が肉声で回答すると、その音声が音声データとしてサーバコンピュータ１１に送信される（ステップＳ０４）。音声データを受信したサーバコンピュータ１１は、受信した音声データを、メッセージデータベースＤＢ２に蓄積する。以上のステップＳ０１〜ステップＳ０４によって、サーバコンピュータ１１は、調査情報としての服薬履歴情報及び音声データを被管理者２から収集する。なお、ステップＳ０１〜ステップＳ０４は、調査情報収集処理として後述する。
【００３２】
サーバコンピュータ１１は、サーバコンピュータ１１の記憶手段に服薬履歴情報、音声データが蓄積されている状態を示す情報（以下「音声蓄積情報」という）、後述の対処情報を、通信回線６を介して接続された管理者３，４，５（製薬会社３，医療機関４，ＣＲＣ５を総称して管理者３，４，５と呼ぶ）の端末コンピュータ３１，４１，５１に送信する。このとき、どの被管理者２についての音声データが蓄積されているかが、ウェッブブラウザーによって、端末コンピュータ３１，４１，５１の表示装置で管理一覧画面１００として表示される。端末コンピュータ３１，４１，５１の表示装置には、他のファイルと音声データのファイルとを区別させるために、音声データのファイルが蓄積されているという情報が、これを明示するためのアイコンである音声ファイルアイコンＶで表示される。なお、この服薬履歴情報や、音声蓄積情報の送信については、進捗情報提供処理として後述する。
【００３３】
管理者３，４，５側の複数の者が、このように表示された管理一覧画面１００を、管理者３，４，５としての権限に基づいて閲覧できる。管理者３，４，５が、画面上に表示された音声ファイルアイコンＶをクリックすると、当該音声データが、サーバコンピュータ１１から端末コンピュータ３１，４１，５１へ送信される。管理者３，４，５は、送信された音声データを再生することで、被管理者２の肉声を聞くことができる。こうすることで、管理者側の複数の者が蓄積された被管理者２の音声データを聞き取ることができ、大量に蓄積された音声データを、従来よりもはるかに短時間で処理することが可能となる。また、被管理者２からの情報を、リアルタイムに管理することも可能になる。なお、サーバコンピュータ１１から端末コンピュータ３１，４，５１への音声データの送信については、音声情報提供処理として後述する。
【００３４】
管理一覧画面１００を閲覧した管理者３，４，５や、端末コンピュータ３１，４，５１へ送信された音声データで被管理者２の肉声を聞いた管理者３，４，５は、被管理者２へ確認のために連絡をして、医療機関４へ来院するように伝えたりする等の処置をとる。また、医療機関４では、被管理者２の検査を行ったり、問診を行ったりする。さらに、その被験者に対する服薬試験をそのまま継続するか、中止するか等が管理者３，４，５によって決定される。管理者３，４，５は、これらの、管理者３，４，５による対処を対処情報として端末コンピュータ３１，４１，５１に入力する。入力された対処情報は、端末コンピュータ３１，４１，５１からサーバコンピュータ１１へ送信され、対処情報データベースＤＢ３に蓄積される。なお、この対処情報の対処情報データベースＤＢ３への蓄積については、対処情報収集処理として後述する。
【００３５】
以上、概要を説明した本発明の音声情報管理システムは、具体的には以下に説明する構成をもって、運用される。
【００３６】
本実施形態の音声情報管理システムＳは、図１に示すように、システム運営会社１と、調査を依頼した被管理者２と、製薬会社３と、医療機関４と，ＣＲＣ５との間で構築されている。製薬会社３と、医療機関４と，ＣＲＣ５は、本実施形態において、管理者となる。
【００３７】
システム運営会社１は、製薬会社３からの依頼を受けて音声情報管理システムＳを運営する組織である。システム運営会社１は製薬会社３とは異なる組織である。システム運営会社１には、音声情報管理システムＳを統括するサーバコンピュータ１１が設置されている。サーバコンピュータ１１は、本発明の音声データ管理装置に相当する。
【００３８】
被管理者２は、調査の対象となる医薬品（対照調査のための偽薬も含む）を服用する者（「被験者」という）や、患者に調査の対象となる医薬品（対照調査のための偽薬も含む）を服用させる医師、又は患者が診察，相談等をした医師である。なお、医師は医療機関４に属する者であるが、本実施形態では、医師も服薬試験における情報の発信元として、被管理者２にも属する者として扱われる。被管理者２は、システム運営会社１からの問合せに対する回答をシステム運営会社１に送信するために、本発明の音声情報発生装置に相当する端末コンピュータ２１を利用する。なお、端末コンピュータ２１には、被管理者２が利用する携帯電話や、固定電話，公衆電話等も含まれる。なお、本実施形態では、被管理者２を予めシステム運営会社１で登録しておくことが行われるが、被管理者２の一部が、登録されていない場合もある。
【００３９】
製薬会社３は、調査の対象となる医薬品を開発する組織であって、開発した医薬品についての調査をシステム運営会社１、医療機関４に依頼している。製薬会社３には、端末コンピュータ３１が設置されている。端末コンピュータ３１には、音声情報管理システムＳを運用するために必要なプログラムが格納されている。なお、端末コンピュータ３１は、製薬会社３ではなく、ＣＲＯ（Ｃｏｎｔｒａｃｔ  Ｒｅｓｅａｒｃｈ  Ｏｒｇａｎｉｚａｔｉｏｎ：開発業務受託機関）に設置されてもよい。製薬会社３（又はＣＲＯ）が、ユーザ登録することにより端末コンピュータ３１から、サーバコンピュータ１１に登録された情報を利用可能となる。製薬会社３の社員や、治験モニターが、端末コンピュータ３１を操作することとなる。端末コンピュータ３１は、本発明の管理者情報端末の１つに相当する。
【００４０】
医療機関４は、病院、歯科医院、接骨院、矯正歯科医院、診療所、救急センター、保健所、エステティックサロン、美容院、老人保健施設等で、患者が自己の健康状態などについて相談，診察などに訪れる場所である。医療機関４には、端末コンピュータ４１が設置されている。端末コンピュータ４１には、音声情報管理システムＳを運用するために必要なプログラムが格納されている。なお、端末コンピュータ４１は、ＳＭＯ（Ｓｉｔｅ  Ｍａｎａｇｅｍｅｎｔ  Ｏｒｇａｎｉｚａｔｉｏｎ：治験施設支援機関）に設置されてもよい。医療機関４（又はＳＭＯ）が、ユーザ登録することにより端末コンピュータ４１から、サーバコンピュータ１１に登録された情報を利用可能となる。医療機関４の医師等が、端末コンピュータ４１を操作することとなる。端末コンピュータ４１は、本発明の管理者情報端末の１つに相当する。
【００４１】
ＣＲＣ（Ｃｌｉｎｉｃａｌ  Ｒｅｓｅａｒｃｈ  Ｃｏｏｒｄｉｎａｔｏｒ：治験コーディネーター）５は、医薬品の調査業務が円滑に行われるように調査業務の支援を行う者である。ＣＲＣ５は、端末コンピュータ５１を操作する。端末コンピュータ５１には、音声情報管理システムＳを運用するために必要なプログラムが格納されている。なお、ＣＲＣ５が、ユーザ登録することにより端末コンピュータ５１から、サーバコンピュータ１１に登録された情報を利用可能となる。端末コンピュータ５１は、本発明の管理者情報端末の１つに相当する。
【００４２】
上記のサーバコンピュータ１１は、端末コンピュータ２１、端末コンピュータ３１、端末コンピュータ４１、端末コンピュータ５１と、通信回線６を介して通信することができる。通信回線６は、例えばインターネット、ＶＰＮ（Ｖｉｒｔｕａｌ  Ｐｒｉｖａｔｅ  Ｎｅｔｗｏｒｋ）、専用線網、電話網（携帯電話網、ＩＰ電話網等を含む）等から構成されるものである。
【００４３】
次に、各コンピュータ（上記のサーバコンピュータ１１、端末コンピュータ２１、端末コンピュータ３１、端末コンピュータ４１、端末コンピュータ５１）について説明する。
【００４４】
図４は、サーバコンピュータ１１のハード構成を示す説明図である。サーバコンピュータ１１は、データの演算・制御処理装置（中央演算処理装置）としてのＣＰＵ７２、記憶装置としてのＲＡＭ７３、ＲＯＭ７４、ＨＤＤ７５、記憶媒体装置７６を備えるものである。また、通信装置７７、キーボード７８、マウス７９、表示装置８０、プリンタ８１、音声入力装置としてのマイク８２、音声出力装置としてのスピーカ８３、を備える。なお、サーバコンピュータ１１の構成の一部、例えば記憶装置は、システム運営会社１の施設内に必ずしも設置されている必要はなく、より高度の安全管理が可能な第三者機関の施設内に設置してもよい。
【００４５】
ＣＰＵ７２は、記憶装置や入力装置から受け取った情報を用いて演算し、演算した結果を記憶装置や出力装置に渡す役目をはたすもので、ＲＯＭ７４又はＨＤＤ７５などに記憶されているプログラムにしたがって、各種の処理を実行する。ＣＰＵ７２は、本発明の音声情報収集手段，音声情報蓄積手段，閲覧要求受信手段，通知手段，音声情報提供手段，音声情報受信手段，受信声紋発生手段，声紋判定手段，質問手段に相当する。
記憶装置は各種の処理を実行するためのプログラム等を記憶するものである。記憶装置のうち、記憶媒体装置７６は外付のＨＤＤや、ＭＯ、ＣＤ−ＲＷ、ＤＶＤなどの媒体装置により構成され、通信装置７７を介して送信されてきたデータや、キーボード７８やマウス７９から入力される各種データを適宜記憶し、またこれを読み出すことができる。
【００４６】
ＲＡＭ７３には、ＣＰＵ７２が各種の処理を実行するにあたって必要なデータなどが適宜記憶される。例えば、各種の処理を実行する際に取得する情報を各処理のために設けた記憶領域に記憶する。キーボード７８とマウス７９は、ＣＰＵ７２に各種指令を入力するとき適宜操作される。
マイク８２は、コンピュータを操作する者が音声を入力するために設けられている。スピーカ８３は、コンピュータから音声を出力するために設けられている。表示装置８０は、ＣＰＵ７２がＲＯＭ７４又はＨＤＤ７５などに記憶されているプログラムにしたがって作成した画像等を表示する装置である。プリンタ８１は各コンピュータから所定の情報を紙面上に出力する。
【００４７】
通信装置７７はインターネットや他のコンピュータに対してデータを送信し、インターネットや他のコンピュータからデータを受信する。
また、本実施形態ではデータの送受信が音声によっても行われるため、通信装置７７にはコンバータ７７ａが設けられ、このコンバータ７７ａにより、音声信号とデジタル信号の変換が行われるように構成されている。
【００４８】
端末コンピュータ２１、端末コンピュータ３１、端末コンピュータ４１、端末コンピュータ５１のハード構成は、サーバコンピュータ１１のハード構成と同様であるため、説明を省略する。もっとも、端末コンピュータ３１が携帯電話や、固定電話，公衆電話等の場合には、キーボード７８の代わりにダイヤルボタン等を備え、マウス７９や、プリンタ８１を備えない。なお、端末コンピュータ３１，４１，５１の表示装置は、本発明の管理者情報端末表示装置に相当し、端末コンピュータ３１，４１，５１のＣＰＵは、本発明の記録通知受信手段に相当する。
【００４９】
次に、本実施形態の音声情報管理システムＳにおける処理について説明する。
音声情報管理システムＳは、各コンピュータに予め格納された各種のプログラムに従って運用される。本実施形態の音声情報管理システムＳの運用において、サーバコンピュータ１１では、登録処理、調査情報収集処理、進捗情報提供処理、音声情報提供処理、対処情報収集処理が行われる。これらの処理を、以下で順に説明する。
【００５０】
登録処理について説明する。
登録処理は、サーバコンピュータ１１における記憶手段の登録情報データベースＤＢ０に登録情報を登録するための処理であり、通常被験者の服薬が開始されるまえに行われる処理である。サーバコンピュータ１１における記憶手段の登録情報データベースＤＢ０は、本発明の被管理者情報登録手段，声紋登録手段に相当する。登録情報は、音声情報管理システムＳを運用するうえで、予めサーバコンピュータ１１に登録しておくことが必要な情報である。本実施形態では、登録情報として被管理者情報と、権限情報とがある。
【００５１】
図５は、登録情報データベースＤＢ０に登録する被管理者情報を説明する説明図である。図５に示した被管理者情報は、「被管理者ＩＤ」，「治験番号」，「登録施設」，「担当医師」，「担当ＣＲＣ」，「イニシャル」，「性別」，「生年月日」，「身長」，「体重」，「連絡先」，「登録端末番号」，「登録パスワード」，「登録声紋データ」である。
【００５２】
「被管理者ＩＤ」は、音声情報管理システムＳ内で被管理者を一意に特定するための識別情報であり、本発明の被管理者識別情報に相当する。登録情報の各項目は、すべてこの被管理者ＩＤに紐付けられて登録される。「治験番号」は、医薬品の服薬試験を特定するための番号（アルファベット等の数字以外の文字も含むことがある識別標識）である。例えば、対象となる医薬品毎に割振られる。「登録施設」は、医薬品の服薬試験のために被管理者２（特に被験者）が通院，入院，又は相談する医療機関４を示すものである。
【００５３】
「担当医師」は、被管理者２（特に被験者）を担当する医師を示すものである。「担当ＣＲＣ」は、被管理者２の管理を担当するＣＲＣ５を示すものである。「担当医師」，「担当ＣＲＣ」は、担当医師や担当ＣＲＣを一意に特定するための識別情報で登録される。担当医師を特定するための識別情報や担当ＣＲＣを特定するための識別情報（以下「管理者ＩＤ」という）は、本発明の管理者識別情報に相当する。なお、管理者ＩＤに対しては、管理者のパスワードが登録されている。管理者ＩＤとパスワードは、一対一で対応して、予めサーバコンピュータ１１の記憶装置に管理者情報リストとして登録されている。
【００５４】
「イニシャル」，「性別」，「生年月日」，「身長」，「体重」は、それぞれ各被験者のイニシャル，性別，生年月日，身長，体重を示すものである。「連絡先」は、被管理者２の連絡先であり、携帯電話，固定電話，メールアドレス又は勤務先の電話番号，被管理者の家族の連絡先等が登録されている。「登録端末番号」は、被管理者２が、サーバコンピュータ１１との通信で使用する端末コンピュータ２１を特定する番号（アルファベット等の数字以外の文字も含むことがある識別標識）である。本実施形態では、この登録端末番号は、端末コンピュータ固有の製造番号である。なお、被管理者２はこの登録された端末コンピュータ２１以外の端末コンピュータ２１を介してサーバコンピュータ１１と通信することも可能である。「登録パスワード」は、被管理者２がサーバコンピュータ１１（システムシステム運営会社）と通信する際に、本人であることを示す情報の１つである。
【００５５】
「登録声紋データ」は、サーバコンピュータ１１と通信している通信相手が被管理者２本人であるか否かを、通信相手の声に基づいて照合するために予め登録しておく声紋のデータである。本実施形態の登録声紋データは、予め被管理者２本人からサンプリングした肉声から照合用に作成する。例えば、被管理者２が発音した当該被管理者２の名前などの予め定められた言葉から、登録声紋データを作成して登録しておく。
【００５６】
登録情報のうち権限情報は、被管理者２と、当該被管理者２の登録情報，服薬履歴情報，音声蓄積情報，音声データ及び対処情報にアクセスして閲覧することができる管理者３，４，５の関連付けを定める情報である。本実施形態では、各管理者３，４，５は、各管理者３，４，５を一意に特定するための識別情報である被管理者ＩＤで特定される。権限情報は、被管理者ＩＤに対応付けた管理者ＩＤとして、情報データベースＤＢ０に登録されている。管理者３，４，５は、この権限情報によって自己の管理者ＩＤと関連付けられている被管理者ＩＤで特定される被管理者２の上記情報に対してのみアクセスすることが許される。
【００５７】
なお、権限情報を登録情報データベースＤＢ０に特別に登録しないようにすることもできる。上述のように登録情報データベースＤＢ０の被管理者情報では、「担当医師」は被管理者２（特に被験者）を担当する医師を示すものであるという関連をもって登録され、「担当ＣＲＣ」は被管理者２の管理を担当するＣＲＣを示すものであるという関連をもって登録されている。したがって、医師やＣＲＣが、自己の担当する総ての被管理者の情報にアクセスできるという場合においては、登録情報データベースＤＢ０に登録されている「担当医師」や「担当ＣＲＣ」を権限情報の代わりに用いることができる。
【００５８】
次に、調査情報収集処理について説明する。
図６は、サーバコンピュータ１１のＣＰＵ７２で実行される調査情報収集処理を示すフローチャートである。
任意のタイミング（時期）で、端末コンピュータ２１からサーバコンピュータ１１に対して接続要求（例えば電話の呼び出し）があると、サーバコンピュータ１１と端末コンピュータ２１との間の通信が開始される。もっとも、この通信の開始は、端末コンピュータ２１からサーバコンピュータ１１に対して接続要求があった場合に限らず、サーバコンピュータ１１が端末コンピュータ２１に対して予め登録されたタイミング（時期）に接続要求を行ったことに基づいて行われてもよい。例えば、サーバコンピュータ１１に計時機能を設け、１０日に一度所定の時間に接続要求を行うようにすることができる。
【００５９】
サーバコンピュータ１１と端末コンピュータ２１との間の通信が可能となると、サーバコンピュータ１１は、端末コンピュータ２１の製造番号の取得を試みる。また、端末コンピュータ２１に対して被管理者ＩＤ及び登録パスワードの送信を求める。そして、製造番号、又は被管理者ＩＤ及び登録パスワードのいずれかを取得できた場合には、ステップＳ１０１からの処理を開始する。一方で、製造番号が取得できず、かつ被管理者ＩＤ，登録パスワードのいずれかが取得できない場合には、ステップＳ１０１からの処理を行わずに処理を終了する。
【００６０】
ステップＳ１０１では、音声キー情報としての声紋キーの入力を端末コンピュータ２１に対して要求する。本実施形態の声紋キーは、被管理者２の名前を、被管理者が発音したときの音声のデータである。したがって、音声ガイダンスで、「あなたの名前を言って下さい」とのメッセージを端末コンピュータ２１に対して送信する。
【００６１】
ステップＳ１０２では、端末コンピュータ２１から声紋キーを受信したかを判定する。ステップＳ１０２によって、本発明の音声情報受信手順が行われる。被管理者２が自分の名前を発音して端末コンピュータ２１に当該音声を入力することで、端末コンピュータ２１からサーバコンピュータ１１へ声紋キーが送信されることになる。サーバコンピュータ１１が、所定時間（例えば１０秒）経過しても声紋キーを受信しない場合(ステップＳ１０２：ＮＯ)には、端末コンピュータ２１で通話している者が、これ以上処理を進める意思がないか、又は通信状態がよくないものとして、通信を切断し、処理を終了する。
【００６２】
声紋キーを受信した場合(ステップＳ１０２：ＹＥＳ)には、ステップＳ１０３で、受信声紋データの作成を行う。受信声紋データは、Ｓ１０２で受信した声紋キーから作成する声紋のデータである。受信声紋データは、本発明の受信声紋情報に相当する。ステップＳ１０３を行うことで、本発明の受信声紋発生手順が実行されることになる。
【００６３】
続いて、ステップＳ１０４では、登録情報データベースＤＢ０を検索して、通信の開始時に取得した製造番号、又は被管理者ＩＤ及び登録パスワードに基づいて、被管理者ＩＤ及び登録声紋データの取得を試みる。すなわち、通信の開始時に製造番号のみを取得していた場合には、登録情報データベースＤＢ０から当該製造番号と一致する登録端末コンピュータ番号を検索して、これに対応して登録されている被管理者ＩＤ，登録声紋データの取得を試みる。また、通信の開始時に被管理者ＩＤ及び登録パスワードを取得していた場合には、登録情報データベースＤＢ０から当該被管理者ＩＤ及び登録パスワードの組み合わせと一致する被管理者ＩＤ及び登録パスワードの組み合わせを検索して、これに対応して登録されている被管理者ＩＤ，登録声紋データの取得を試みる。
【００６４】
そして、ステップＳ１０５では、ステップＳ１０４の検索の結果、登録声紋データを取得できたかを確認する。登録声紋データを取得できた場合（ステップＳ１０５：ＹＥＳ）には、ステップＳ１０６へ進む。一方、登録声紋データを取得できない場合（ステップＳ１０５：ＮＯ）には、ステップＳ１０８へ進む。
ステップＳ１０６では、ステップＳ１０３で作成した受信声紋データが、ステップＳ１０４で取得した登録声紋データと一致するかを判定する。一致すると判定した場合（ステップＳ１０６：ＹＥＳ）には、ステップＳ１０７へ進む。一方、一致しないと判定した場合（ステップＳ１０６：ＮＯ）には、ステップＳ１０８へ進む。ステップＳ１０４〜Ｓ１０６を行うことで、本発明の声紋判定手順が実行されることになる。
【００６５】
ステップＳ１０７では、ステップＳ１０４で取得した被管理者ＩＤを調査情報として登録するための被管理者ＩＤとして取得する。ステップＳ１０８では、不明時の被管理者ＩＤを調査情報として登録するための被管理者ＩＤとして取得する。不明時の被管理者ＩＤとは、通信相手が特定できないときのために予め定められている被管理者ＩＤである。
【００６６】
ステップＳ１０７，ステップＳ１０８に続いて、Ｓ１０９では、服薬試験で定められた質問項目についての質問を端末コンピュータ２１に送信する。本実施形態では、選択回答式質問と、自由音声回答式質問の２種類の質問を用意している。
選択回答式質問は、質問に対する回答を選択肢として用意しておいて、被験者が用意された選択肢から自らの回答を端末コンピュータ２１のボタン操作で選択するものである。選択回答式質問としては、例えば、「薬を飲みましたか？」等の質問と、これに続く、「薬を飲んだ場合には『１』を、薬を飲んでいない場合には『０』を押して下さい。」等のガイダンスで構成するものである。この選択回答式質問を受けた被管理者２は、自らの回答に沿う『１』又は『０』をボタン操作することで、回答を端末コンピュータ２１からサーバコンピュータ１１に送信する。
【００６７】
自由音声回答式質問は、被管理者２の有する曖昧な情報を取得するために、被験者に対して音声による自由な回答を求めるものである。自由音声回答式質問としては、例えば、「何かお変わりありませんか？特になければ、お切りください。」等のガイダンスを送信するものである。この自由音声回答式質問を受けた被管理者２は、自らの肉声で自由に回答することができるし、全く回答しないこともできる。回答する場合には、被管理者２の回答が、音声データとして端末コンピュータ２１からサーバコンピュータ１１に送信される。
【００６８】
続くステップＳ１１０では、ステップＳ１０９での質問に対する回答を受信する。ステップＳ１１０を行うことで、本発明の音声情報収集手順が実行されることになる。上記選択回答式質問に対して、端末コンピュータ２１の操作が行われていれば、端末コンピュータ２１の操作の種別を示す端末操作情報を端末コンピュータ２１から受信して、これを回答として取得する。自由音声回答式質問に対して、被管理者２が音声を入力していれば、その音声の音声データを端末コンピュータ２１から受信して、これを回答として取得する。
【００６９】
続くステップＳ１１１では回答の有無を確認する。すなわち、上記選択回答式質問に対して端末操作情報を受信しているか、又は、上記自由音声回答式質問に対して音声データを受信しているか、を確認する。この確認の結果、何れも受信しておらず、回答が無いと確認された場合（ステップＳ１１１：無し）には、端末コンピュータ２１との通信を切断して、処理を終了する。一方、回答があると確認された場合（ステップＳ１１１：有り）には、ステップＳ１１２へ進む。
【００７０】
ステップＳ１１２では、受信した回答を服薬履歴データベースＤＢ１へ記録（蓄積）することが行われる。Ｓ１１２では、図７に示す服薬履歴情報が、服薬履歴データベースＤＢ１へ記録される。図７に、ステップＳ１１２で服薬履歴データベースＤＢ１に記録される情報を示す。図７に示すように、本実施形態では、服薬履歴データベースＤＢ１に、服薬履歴情報として、「服薬履歴番号」，「被管理者ＩＤ」，「服薬年月日」，「交信年月日」が記録される。
「服薬履歴番号」は、本調査情報収集処理がおこなわれて、被管理者２から回答を受信する度に発行される番号（アルファベット等の数字以外の文字も含むことがある識別標識）であり、被管理者２の回答毎に異なる番号が発行され、回答を一意に表すものである。本実施形態では、ステップＳ１１１の後、ステップＳ１１２の前に１つ発行され、この発行された「服薬履歴番号」を登録する。
【００７１】
服薬履歴データベースＤＢ１に記録される「被管理者ＩＤ」は、ステップＳ１０７又はステップＳ１０８で取得した被管理者ＩＤであり、上記「服薬履歴番号」に対応付けられて記録される。
服薬履歴データベースＤＢ１に記録される「服薬年月日」は、上記選択回答式質問で、例えば「何日に薬を飲みましたか？その年月日を入力してください。」というような質問をした場合に、その入力に基づいて送信されてきた端末操作情報に応じた年月日が入力される。」に対応付けられて記録される。この「服薬年月日」は、上記「服薬履歴番号」に対応付けられて記録される。「服薬年月日」の代わりに、「服薬の有無」（ステップＳ１１１の回答に基づくデータ）としてもよい。
服薬履歴データベースＤＢ１に記録される「交信年月日」は、本調査情報収集処理を開始したときの年月日が記録される。この「交信年月日」は、上記「服薬履歴番号」に対応付けられて記録される。
【００７２】
ステップＳ１１２に続いて、Ｓ１１３では、音声データの有無を確認する。すなわち、上記自由音声回答式質問に対して音声データを受信しているかを確認する。この確認の結果、音声データを受信しておらず、回答が無いと確認された場合（ステップＳ１１３：無し）には、端末コンピュータ２１との通信を切断して、処理を終了する。一方、回答があると確認された場合（ステップＳ１１３：有り）には、ステップＳ１１４へ進む。
【００７３】
ステップＳ１１４では、受信した音声データをメッセージデータベースＤＢ２へ記録（蓄積）することが行われる。Ｓ１１４では、図８に示す情報が、メッセージデータベースＤＢ２へ記録される。図８に、ステップＳ１１４でメッセージデータベースＤＢ２に記録される情報を示す。図８に示すように、本実施形態では、メッセージデータベースＤＢ２に、「服薬履歴番号」，「被管理者ＩＤ」，「交信年月日」，「音声データ」が記録される。
【００７４】
メッセージデータベースＤＢ２に記録される「服薬履歴番号」，「被管理者ＩＤ」，「交信年月日」は、上記服薬履歴データベースＤＢ１に記録される「服薬履歴番号」，「被管理者ＩＤ」，「交信年月日」と同じである。メッセージデータベースＤＢ２に記録される「音声データ」は、ステップＳ１１０で受信した音声データである。この「音声データ」は、上記「服薬履歴番号」に対応付けられて記録される。
ステップＳ１１４を終了すると本調査情報収集処理を終了する。ステップＳ１１１〜ステップＳ１１４を行うことで、本発明の音声情報蓄積手順が実行されることになる。
【００７５】
本実施形態では、上述のように、ステップＳ１０５やＳ１０６の結果が反映されてステップＳ１１２やＳ１１４が行われる。すなわち、ステップＳ１０５やＳ１０６でＮＯと判定された場合には、ステップＳ１０８で不明時の被験者ＩＤを発行し、ステップＳ１１２やＳ１１４では、回答や音声データが不明時の被験者ＩＤとともに服薬履歴データベースＤＢ１やメッセージデータベースＤＢ２に記録される。このため、万が一ステップＳ１０５やＳ１０６の処理で誤りがあったとしても、貴重な情報を記録しないで処理してしまうという不都合を回避できる。また、登録されていない第三者からの貴重な情報を収集することもできる。
なお、ステップＳ１０５やＳ１０６でＹＥＳと判定さた場合に限って、ステップＳ１１２やＳ１１４を行なうように改変することもできる。
【００７６】
次に、進捗情報提供処理について説明する。
図９は、サーバコンピュータ１１のＣＰＵ７２で実行される進捗情報提供処理を示すフローチャートである。
本進捗情報提供処理は、ステップＳ２０１で、管理者３，４，５の端末コンピュータ３１，４１，５１から管理一覧画面１００（図３参照）の閲覧、すなわち、音声蓄積情報の取得を要求する閲覧要求情報を受信することで開始される。ステップＳ２０１を行うことで、本発明の閲覧要求受信手順が実行されることになる。閲覧要求情報には、管理者ＩＤと管理者パスワードが含まれる。受信した管理者ＩＤと管理者パスワードの組み合わせが、上記管理者情報リストにおける管理者ＩＤと管理者パスワードの組み合わせと一致しなければ、本進捗情報提供処理は、エラー表示をして終了する。
【００７７】
一方、ステップＳ２０１で受信した管理者ＩＤと管理者パスワードの組み合わせが、上記管理者情報リストにおける管理者ＩＤと管理者パスワードの組み合わせと一致すると、ステップＳ２０２で送信進捗データの作成をする。送信進捗データは、管理一覧画面１００の各欄１０１ａ〜１０１ｉに表示させるデータである。
【００７８】
サーバコンピュータ１１は、権限情報，登録情報データベースＤＢ０，服薬履歴データベースＤＢ１，メッセージデータベースＤＢ２、及び詳細を後述する対処情報データベースＤＢ３に基づいて、送信進捗データを作成する。すなわち、次の手順で、送信進捗データを作成する。
【００７９】
権限情報に基づいて、ステップＳ２０１で受信した管理者ＩＤに対してアクセス権限が認められている被管理者ＩＤを抽出する。この抽出した被管理者ＩＤに対応して記録されている服薬履歴番号を、服薬履歴データベースＤＢ１から抽出する。この抽出した服薬履歴番号と、管理一覧画面１００の各欄１０１ａ〜１０１ｉに表示させるための服薬履歴番号に対応したデータが、送信進捗データである。送信進捗データは、各服薬履歴番号に対してレコード形式となっており、管理一覧画面１００では、１レコード１行として一覧表示される。
【００８０】
抽出した服薬履歴番号に対応した被管理者ＩＤ，交信年月日を、服薬履歴データベースＤＢ１，メッセージデータベースＤＢ２から抽出する。ここで抽出した被管理者ＩＤ，交信年月日は、それぞれ、管理一覧画面１００の被管理者ＩＤの欄１０１ｃ、年月日の欄１０１ｄに表示させるデータとなる。
抽出した服薬履歴番号に対応した音声データの有無が、メッセージデータベースＤＢ２で確認される。ここで音声データが有ると、当該服薬履歴番号に対応付けられた音声蓄積情報が、管理一覧画面１００の患者連絡の欄１０１ｆに音声ファイルアイコンＶを表示させるためのデータとなる。
被管理者ＩＤの欄１０１ｃに表示させる被管理者ＩＤに対応する治験番号，登録施設，担当ＣＲＣを、登録情報データベースＤＢ０から抽出する。ここで抽出した治験番号，登録施設，担当ＣＲＣは、それぞれ、管理一覧画面１００の試験種類の欄１０１ａ，施設名の欄１０１ｂ，担当ＣＲＣの欄１０１ｇに表示させるためのデータとなる。
【００８１】
管理一覧画面１００の被験者情報の欄１０１ｅには、被管理者ＩＤの欄１０１ｃに表示させる被管理者ＩＤに対応する被管理者情報（図５参照）を表示させるための詳細情報アイコンＤを表示させる。ただし、ステップＳ２０１で受信した管理者ＩＤに対して、被管理者の個人情報（「イニシャル」，「性別」，「生年月日」，「身長」，「体重」）にアクセス権が無い場合には、詳細情報アイコンＤを表示させるための情報は送信進捗データに含まれない。
【００８２】
管理一覧画面１００の処置の欄１０１ｈ，結果の欄１０１ｉに表示させるためのデータは、詳細を後述する対処情報データベースＤＢ３から抽出される。すなわち、上記抽出した服薬履歴番号に対応して、対処情報データベースＤＢ３に記録されている処置，結果の情報が、それぞれ、処置の欄１０１ｈ，結果の欄１０１ｉに表示させるためのデータとなる。
【００８３】
以上のようにステップＳ２０２で送信進捗データが作成される。続く、ステップＳ２０３では、閲覧要求情報を送信してきた端末コンピュータ３１，４１，５１に対して、ステップＳ２０２で作成した送信進捗データを送信して、本進捗情報提供処理を終了する。ステップＳ２０２〜ステップＳ２０３を行うことで、本発明の通知手順が実行されることになる。
【００８４】
送信進捗データを受信することで、本発明の記録通知受信手順を行った端末コンピュータ３１，４１，５１は、表示装置の画面上に、受信した送信進捗データに基づく管理一覧画面１００を表示させる。端末コンピュータ３１，４１，５１の記憶手段には、音声蓄積情報に対応するアイコンを表示するためのデータが記憶されている。端末コンピュータ３１，４１，５１が受信したデータに、音声蓄積情報が存在すれば、音声ファイルアイコンＶが表示される。端末コンピュータ３１，４１，５１が、表示装置の画面上に音声ファイルアイコンＶを表示することにより、本発明の報知手順が行われる。なお、音声蓄積情報に対応する音声ファイルアイコンＶを表示する代わりに、文字を表示することもできる。
【００８５】
次に、音声情報提供処理について説明する。
図１０は、サーバコンピュータ１１のＣＰＵ７２で実行される音声情報提供処理を示すフローチャートである。
本音声情報提供処理は、ステップＳ３０１で、管理者３，４，５の端末コンピュータ３１，４１，５１から音声データのダウンロードを要求する音声要求情報を受信することで開始される。音声要求情報は、本発明の音声情報要求信号に相当する。音声要求情報は、管理一覧画面１００に表示された音声ファイルアイコンＶが、画面上で選択操作（クリック）されることで、端末コンピュータ３１，４１，５１から送信される情報である。端末コンピュータ３１，４１，５１が、音声要求情報を送信することで、本発明の音声情報要求手順が行われる。音声要求情報には、クリックされた当該音声ファイルアイコンＶを表示させるための音声蓄積情報に対応した服薬履歴番号が含まれる。
【００８６】
続くステップＳ３０２では、送信音声データを作成する。送信音声データは、ステップＳ３０１で受信した服薬履歴番号に対応して、メッセージデータベースＤＢ２に記録されている音声データである。
ステップＳ３０３では、音声要求情報を送信してきた端末コンピュータ３１，４１，５１に対して、ステップＳ３０２で作成した送信音声データを送信することで、本発明の音声情報提供手順を行い、本音声情報提供処理を終了する。
送信音声データを受信した端末コンピュータ３１，４１，５１は、音声出力装置から、受信した送信音声データに基づく音声を出力させる。
【００８７】
次に、対処情報収集処理について説明する。
図１１は、サーバコンピュータ１１のＣＰＵ７２で実行される対処情報収集処理を示すフローチャートである。
本対処情報収集処理は、ステップＳ４０１で、管理者３，４，５の端末コンピュータ３１，４１，５１から対処情報の登録を要求する対処情報登録要求信号を受信することで開始される。ステップＳ４０１で、端末コンピュータ３１，４１，５１から対処情報登録要求信号を受信すると、続くステップＳ４０２では、対処情報を対処情報データベースＤＢ３に記録（蓄積）して、本対処情報収集処理を終了する。
【００８８】
図１２に、ステップＳ４０２で対処情報データベースＤＢ３に記録される対処情報を示す。図１２に示すように、本実施形態では、対処情報データベースＤＢ３に、対処情報として、「服薬履歴番号」，「被管理者ＩＤ」，「交信年月日」，「処置」，「結果」が記録される。
【００８９】
管理者３，４，５は、管理一覧画面１００に表示された被管理者ＩＤで特定される被管理者２に対して、何らかの処置をとった場合には、端末コンピュータ３１，４１，５１を操作して、「処置」，「結果」のデータを入力する。管理者３，４，５は、管理一覧画面１００に表示された各レコードから、「処置」，「結果」を入力したいレコードを選択し、当該レコードに対する「処置」，「結果」を入力する。なお、レコードの選択は、管理者３，４，５が、管理一覧画面１００に表示される各レコードに対応して設けられたデータ入力ボタン（図３において不図示）を選択操作（クリック）することで行う。
【００９０】
「処置」のデータは、具体的には、「連絡中」，「来院予定」，「来院済」，「誤操作」等を示す情報である。「連絡中」とは、当該被管理者２に対して連絡を試みている最中であることを示す。「来院予定」とは、当該被管理者２が医療機関４に来院する予定であることを示す。「来院済」とは、当該被管理者２医療機関４に来院したことを示す。「誤操作」とは、当該レコードが被管理者２による端末コンピュータ２１の誤操作であることを示す。
【００９１】
「結果」のデータは、具体的には、「継続」，「中止」，「検査」，「観察」等を示す情報である。「継続」とは、当該被管理者２に対して服薬試験を継続することを示す。「中止」とは、当該被管理者２に対して服薬試験を中止することを示す。「検査」とは、当該被管理者２に対して検査を行うことを示す。「観察」とは、当該被管理者２の体調等の経過を、服薬を一端中断して観察することを示す。
【００９２】
管理者３，４，５が、端末コンピュータ３１，４１，５１を操作して入力した各レコードの「処置」のデータ、「結果」のデータは、当該レコードに対応する「服薬履歴番号」とともに対処情報登録要求信号に含めて、端末コンピュータ３１，４１，５１からサーバコンピュータ１１へ送信される。
【００９３】
ステップＳ４０１では、このように送信されてきた対処情報登録要求信号を受信する。そして、ステップＳ４０２では、この対処情報登録要求信号に含まれる服薬履歴番号，「処置」のデータ，「結果」のデータを、当該対処情報登録要求信号を受信したときの年月日とともに、対処情報として、対処情報データベースＤＢ３に記録する。そして、本対処情報収集処理を終了する。
【００９４】
以上、本実施形態の音声情報管理システムＳにおける処理について説明したが、上述の実施形態は、例えば以下の（ａ）〜（ｅ）に示すように改変することもできる。
【００９５】
（ａ）  上述の実施形態における進捗情報提供処理（図９参照）は、ステップＳ２０１で、管理者３，４，５の端末コンピュータ３１，４１，５１から管理一覧画面１００（図３参照）の閲覧を要求する閲覧要求情報を受信することで開始され、音声情報提供処理（図１０参照）は、管理一覧画面１００に表示された音声ファイルアイコンＶが、画面上で操作（クリック）されることで開始されていた。しかし、進捗情報提供処理や音声情報提供処理を例えば次の（ａ−１）や（ａ−２）に示すように改変することができる。
【００９６】
（ａ−１）  例えば、端末コンピュータ５１として電子メール機能を備えたものを用いた場合には、進捗情報提供処理を行うに際して、サーバコンピュータ１１から端末コンピュータ５１への電子メールの送信を利用することができる。
サーバコンピュータ１１は、定期的に、または音声データの入力があったときに、メッセージＤＢ２を検索して、メッセージＤＢ２へ新規に蓄積された音声データの「被管理者ＩＤ」を抽出する。メッセージＤＢ２には「新着フラグ」を登録するフィールドを設ける。新規に音声データを蓄積する際には、この「新着フラグ」がセットされる。このように構成することで、「新着フラグ」がセットされているレコードの「被管理者ＩＤ」を、新規に蓄積された音声データの「被管理者ＩＤ」として抽出することができる。
【００９７】
そして、抽出した「被管理者ＩＤ」をキーとして、登録情報データベースＤＢ０を検索して、対応する「担当ＣＲＣ」を抽出する。抽出した担当ＣＲＣの端末コンピュータ５１へ新規の音声データが蓄積された旨を知らせる電子メールを送信する。各ＣＲＣの端末コンピュータの電子メールアドレスは、サーバコンピュータ１１の記憶手段に予め登録しておく。この電子メールを送信したときに、上記の「新着フラグ」をリセットする。
【００９８】
電子メールを見たＣＲＣが管理一覧画面１００の閲覧を要求する閲覧要求情報をサーバコンピュータ１１に送信することで、サーバコンピュータ１１は、上述のステップＳ２０１以降の進捗情報提供処理を行う。
【００９９】
（ａ−２）  例えば、端末コンピュータ５１として電子メール機能を備えた携帯電話を用いた場合には、進捗情報提供処理を行うに際して、サーバコンピュータ１１から端末コンピュータ５１への電子メールの送信を利用し、音声情報提供処を行うに際して、電話機能を利用するようにすることができる。
サーバコンピュータ１１は、定期的に、または音声データの入力があったときに、メッセージＤＢ２を検索して、メッセージＤＢ２へ新規に蓄積された音声データの「被管理者ＩＤ」，「服薬履歴番号」を抽出する。この場合の「服薬履歴番号」は、本発明の音声データ識別番号に相当するものとなる。メッセージＤＢ２には「新着フラグ」を登録するフィールドを設ける。新規に音声データを蓄積する際には、この「新着フラグ」がセットされる。このように構成することで、「新着フラグ」がセットされているレコードの「被管理者ＩＤ」，「服薬履歴番号」を、新規に蓄積された音声データの「被管理者ＩＤ」，「服薬履歴番号」として抽出することができる。
【０１００】
そして、抽出した「被管理者ＩＤ」をキーとして、登録情報データベースＤＢ０を検索して、対応する「担当ＣＲＣ」を抽出する（抽出した「被管理者ＩＤ」と関連付けられている管理者ＩＤを権限情報に基づいて抽出するようにすることもできる。）。続いて、抽出した「担当ＣＲＣ」（管理者ＩＤ）で特定されるＣＲＣの端末コンピュータへ新規の音声データが蓄積された旨を知らせる電子メールを送信する。なお、各ＣＲＣの端末コンピュータの電子メールアドレスは、サーバコンピュータ１１の記憶手段に予め登録しておく。この電子メールを送信したときに、上記の「新着フラグ」をリセットする。
【０１０１】
電子メールには、抽出した「服薬履歴番号」の情報と、当該「服薬履歴番号」で特定される音声データの音声を聞くための電話番号の情報も含ませる。すなわち、サーバコンピュータ１１が端末コンピュータ５１へ、新規の音声データが蓄積された旨と、「服薬履歴番号」と、当該「服薬履歴番号」で特定される音声データの音声を聞くための電話番号の情報とを含む電子メールを送信することで、進捗情報提供処理を行う。なお、この実施形態では、端末コンピュータ５１へ新規の音声データが蓄積された旨等を知らせる電子メールを送信する手順によって、本発明の通知手順が実行されることになる。
【０１０２】
そして、進捗情報提供処理によって電子メールを受信したＣＲＣが、電子メールに含まれる電話番号へ電話による返信を行うと、電子メールに含まれていた「服薬履歴番号」で特定される音声データの再生を要求する信号が端末コンピュータ５１からサーバコンピュータ１１へ送信される。サーバコンピュータ１１は、受信した「服薬履歴番号」で特定される音声データをメッセージデータベースＤＢ２から読み出す。サーバコンピュータ１１は、読み出した音声データを、端末コンピュータ５１を介して再生し、電話をかけてきたＣＲＣに対して音声で聞かせる。このように、端末コンピュータ５１の電話機能を利用して、音声情報提供処を行う。
【０１０３】
（ｂ）  図１３は、被管理者２が特に医師である場合における、音声情報管理システムＳを、医薬品の服薬試験に適用した場合の運用例を説明する説明図である。
上記図２におけるステップＳ０１〜Ｓ０４の代わりに、ステップＳ１１〜Ｓ１５のような情報のやり取りが、被管理者２（医師）とシステム運営会社１との間で行われる。図示は省略するが、図１３においても、図２と同様に、進捗情報提供処理、音声情報提供処理、対処情報収集処理が行われる。
【０１０４】
システム運営会社１側に、被管理者２側に「もしもし、有害事象報告です。」等の報告が入る（ステップＳ１１）。システム運営会社１側は、「被管理者ＩＤを言って下さい」等の問いかけを行う（ステップＳ１２）。被管理者２は、端末コンピュータ２１の操作ボタンを操作して、この問いに回答する。例えば、被験者の被管理者ＩＤを端末コンピュータ２１からサーバコンピュータ１１に送信する（ステップＳ１３）。
【０１０５】
サーバコンピュータ１１は、被管理者ＩＤを音声データとして受信した場合には、当該音声データをメッセージデータベースＤＢ２’に蓄積するとともに、受信した音声データを音声解析して、解析した結果から得られる被管理者ＩＤもメッセージデータベースＤＢ２’へ蓄積する。メッセージデータベースＤＢ２’は、上記実施形態のメッセージデータベースＤＢ２を改変したものである。メッセージデータベースＤＢ２’に記憶される「被管理者ＩＤ」は、メッセージデータベースＤＢ２における「被管理者ＩＤ」とは異なり、ステップＳ１３で受信する被管理者ＩＤ（端末コンピュータ２１を操作する医師ではなく、被験者の被管理者ＩＤ）である。メッセージデータベースＤＢ２’に、端末コンピュータ２１を操作する医師の被管理者ＩＤも蓄積するようにしてもよい。なお、被管理者番号を端末操作情報で受信した場合には、当該端末操作情報に応じた被管理者ＩＤをメッセージデータベースＤＢ２’に蓄積する。
【０１０６】
サーバコンピュータ１１は、さらに、「状況をお話ください」等の問いかけ（自由音声回答式質問）を行う（ステップＳ１４）。被管理者２（医師）は、この問いに対して自らの肉声で回答する。例えば、「どうも、＊薬で胃腸障害が発生しているよう」等と回答する（ステップＳ１５）。回答しない場合は、サーバコンピュータ１１と端末コンピュータ２１との接続を切る。
【０１０７】
ステップＳ１５で被管理者２（医者）が肉声で回答すると、その音声が音声データとしてサーバコンピュータ１１に送信される。音声データを受信したサーバコンピュータ１１は、受信した音声データをメッセージデータベースＤＢ２’に蓄積する。
【０１０８】
（ｃ）  上記の実施形態では、本発明の音声情報管理システムを、医薬品の服薬試験について被管理者から音声による情報を収集して管理する場合を説明したが、この場合の医薬品は、製造承認を受ける前の臨床試験の対象となっている医薬品であっても、すでに市販が開始されている医薬品であってもよい。また、本発明の音声情報管理システムは、医薬品の服薬試験について被管理者から音声による情報を収集して管理する場合に限らず、健康食品，特定保健用食品，機能性食品，化粧品等の効果を確認するための試験等、ある程度の期間継続的にヒトに物質を投与して検査する試験において、その被験者から音声による情報を収集して管理する場合にも適用できる。
【０１０９】
また、物質を投与する場合に限らず、治療装置、医療機器の効果を確認するための試験において、その被験者から音声による情報を収集して管理する場合にも適用できる。また、本発明の音声情報管理システムは、例えば、アレルギー、小児喘息、腎臓疾患などの長期治療が必要な疾患、遺伝病などの患者の病状、生活状況に関する調査に用いてもよい。すなわち、各患者へのアンケート調査、医師による各患者の評価を音声データとして収集する場合に、本発明の音声情報管理システムを適用してもよい。
【０１１０】
（ｄ）  上記実施形態の音声情報管理システムＳを、食品、治療装置、医療機器の効果を確認するための試験に適用することができる。この場合は、食品会社、医療機器メーカー等が、製薬会社３の代わりとなる。また、上記実施形態の音声情報管理システムＳを、患者の病状、生活状況の調査に適用することができる。この場合は、国民の健康増進を図ることを目的とする公的機関、公的機関から調査を受注した者等が製薬会社３の代わりとなる場合もある。
【０１１１】
さらに、本発明の音声情報管理システムを、上記の医薬品・医療等の分野に限らず、多くの被管理者から音声による情報を収集する調査、すなわち、商品等を使用した顧客が被管理者（被験者）となって、顧客に対してアンケート等の調査を行う場合にも適用することができる。この場合、その商品を製造したメーカーや、アンケート調査会社等が製薬会社３の代わりとなる。
【０１１２】
（ｅ）  ステップＳ１１０で電子メールによる回答を被管理者２から受信可能な構成としてもよい。この場合、音声ファイルアイコンＶの代わりに、電子メールによる回答が存在する旨を示すメールアイコンＭを管理一覧画面１００に表示するようにするとよい。
【図面の簡単な説明】
【０１１３】
【図１】音声情報管理システムの全体構成を示す。
【図２】音声情報管理システムを、医薬品の服薬試験に適用した場合の運用例を説明する説明図である。
【図３】端末コンピュータの表示装置で表示される画面例を示す。
【図４】サーバコンピュータのハード構成を示す説明図である。
【図５】登録情報データベースに登録する被管理者情報を説明する説明図である。
【図６】調査情報収集処理を示すフローチャートである。
【図７】服薬履歴データベースに記録される情報を示す。
【図８】メッセージデータベースに記録される情報を示す。
【図９】進捗情報提供処理を示すフローチャートである。
【図１０】音声情報提供処理を示すフローチャートである。
【図１１】対処情報収集処理を示すフローチャートである。
【図１２】対処情報データベースに記録される対処情報を示す。
【図１３】音声情報管理システムを、医薬品の服薬試験に適用した場合の運用例を説明する説明図である。
【符号の説明】
【０１１４】
１                        システム運営会社
２                        被管理者
３                        製薬会社
４                        医療機関
５                        ＣＲＣ
６                        通信回線
１１                      サーバコンピュータ
２１，３１，４１，５１    端末コンピュータ
７２                      ＣＰＵ
７３                      ＲＡＭ
７４                      ＲＯＭ
７５                      ＨＤＤ
７６                      記憶媒体装置
８０                      表示装置
８３                      スピーカ
ＤＢ０                    登録情報データベース
ＤＢ１                    服薬履歴データベース
ＤＢ２，ＤＢ２’          メッセージデータベース
ＤＢ３                    対処情報データベース
Ｓ                        音声情報管理システム
Ｖ                        音声ファイルアイコン
【図１】
2005115921.tif 000003
【図２】
2005115921.tif 000004
【図３】
2005115921.tif 000005
【図４】
2005115921.tif 000006
【図５】
2005115921.tif 000007
【図６】
2005115921.tif 000008
【図７】
2005115921.tif 000009
【図８】
2005115921.tif 000010
【図９】
2005115921.tif 000011
【図１０】
2005115921.tif 000012
【図１１】
2005115921.tif 000013
【図１２】
2005115921.tif 000014
【図１３】
2005115921.tif 000015